(57)【要約】【課題】利用者の利便性を向上させることができる列車情報表示システム、列車情報表示方法、管理サーバ装置及びプログラムを提供すること。【解決手段】改札の近傍に設置され、列車に関する列車情報を記憶するＩＣカードと通信を行う読み書き装置と、この読み書き装置と通信を行う管理サーバ装置とを備える列車情報表示システムであって、前記読み書き装置は、前記ＩＣカードに記憶された列車情報を読み出して、前記管理サーバ装置に送信する送信部と、前記ＩＣカードに設けられた表示部に表示された列車情報を、前記サーバ装置から送信された更新列車情報に更新して表示する表示制御部とを備え、前記管理サーバ装置は、前記送信部から送信された列車情報に基づいて、現時点での列車情報を含む更新列車情報を生成し、前記読み書き装置に送信する送信制御部を備えることを特徴とする。【選択図】図１
2010013007.tif 000002
【特許請求の範囲】
【請求項１】
改札の近傍に設置され、列車に関する列車情報を記憶するＩＣカードと通信を行う読み書き装置と、この読み書き装置と通信を行う管理サーバ装置とを備える列車情報表示システムであって、
前記読み書き装置は、
前記ＩＣカードに記憶された列車情報を読み出して、前記管理サーバ装置に送信する送信部と、
前記ＩＣカードに設けられた表示部に表示された列車情報を、前記サーバ装置から送信された更新列車情報に更新して表示する表示制御部とを備え、
前記管理サーバ装置は、
前記送信部から送信された列車情報に基づいて、現時点での列車情報を含む更新列車情報を生成し、前記読み書き装置に送信する送信制御部を備えることを特徴とする列車情報表示システム。
【請求項２】
前記列車情報は、利用者によって指定された列車の発着時刻情報、区間情報、列車識別情報及び座席情報を含んでいることを特徴とする請求項１に記載の列車情報表示システム。
【請求項３】
前記送信制御部は、
前記送信部から前記列車情報が送信されてきたときの現在時刻が、前記発着時刻情報の発車時刻又は前記発車時刻よりも所定時間前の時刻を超えている場合、前記発車時刻よりも後に発車する列車に関する列車情報を含めて、前記更新列車情報を生成することを特徴とする請求項２に記載の列車情報表示システム。
【請求項４】
前記送信制御部は、
前記送信部から前記列車情報が送信されてきたときの現在時刻が、前記発着時刻情報の発車時刻又は前記発車時刻よりも所定時間前の時刻を超えている場合、前記現在時刻と前記区間情報とに基づいて、乗り換え情報を生成し、前記乗り換え情報を含めて前記更新列車情報を生成することを特徴とする請求項１から請求項３のいずれか一項に記載の列車情報表示システム。
【請求項５】
前記送信制御部は、
前記下車駅にもっとも早く到着するルートによって、前記乗り換え情報を生成することを特徴とする請求項４のいずれか一項に記載の列車情報表示システム。
【請求項６】
改札の近傍に設置され、列車に関する列車情報を記憶するＩＣカードと通信を行う読み書き装置と、この読み書き装置と通信を行う管理サーバ装置とを備える列車情報表示システムにおける列車情報表示方法であって、
前記読み書き装置の送信部が、前記ＩＣカードに記憶された列車情報を読み出して、前記管理サーバ装置に送信し、
前記管理サーバ装置の送信制御部が、前記送信部から送信された列車情報に基づいて、現時点での列車情報を含む更新列車情報を生成し、前記読み書き装置に送信し、
前記読み書き装置の表示制御部が、前記ＩＣカードに設けられた表示部に表示された列車情報を、前記更新列車情報に更新して表示することを特徴とする列車情報表示方法。
【請求項７】
改札の近傍に設置され、列車に関する列車情報を記憶するＩＣカードと通信を行う読み書き装置と、この読み書き装置と通信を行う管理サーバ装置とを備える列車情報表示システムにおける管理サーバ装置であって、
前記読み書き装置から送信された列車情報に基づいて、現時点での列車情報を含む更新列車情報を生成し、前記読み書き装置に送信することにより、前記ＩＣカードに設けられた表示部に表示された列車情報を、前記更新列車情報に更新して表示する送信制御部を備えることを特徴とする管理サーバ装置。
【請求項８】
改札の近傍に設置され、列車に関する列車情報を記憶するＩＣカードと通信を行う読み書き装置と、この読み書き装置と通信を行う管理サーバ装置とを備える列車情報表示システムにおける管理サーバ装置で実行されるプログラムであって、
前記読み書き装置から送信された列車情報に基づいて、現時点での列車情報を含む更新列車情報を生成し、前記読み書き装置に送信することにより、前記ＩＣカードに設けられた表示部に表示された列車情報を、前記更新列車情報に更新して表示する送信制御手段として、前記管理サーバ装置を機能させるプログラム。
【発明の詳細な説明】
【技術分野】
【０００１】
本発明は、列車情報を表示する列車情報表示システム、列車情報表示方法、管理サーバ装置及びプログラムに関する。
【背景技術】
【０００２】
近年、鉄道を利用する際に、例えばＳｕｉｃａなどのＩＣカードが利用されている。すなわち、利用者が、現金に相当する価値をあらかじめチャージしておいたＩＣカードを、改札に設置されたリーダライタにかざして、ＩＣカードの情報をリーダライタに読み込ませることにより、鉄道利用料金の決済が行われるようになっている。
また、利用者が指定席を購入した際に、ＩＣカードにその指定した列車の情報が記憶され、利用者がリーダライタにＩＣカードをかざすと、改札のゲートをオープンさせて利用者に改札を通過させるシステムも利用されている。
【０００３】
しかし、このようなシステムでは、指定列車の情報などを利用者が確認したいと思ったときに、それら指定列車の情報を利用者に簡易に知らしめることができない。
そこで、読み取り器などの機器により、ＩＣカードに記憶された情報を読み出して表示させる表示器が提案されている（例えば、特許文献１参照。）。
【特許文献１】特開平１１−６６２４４号公報
【発明の開示】
【発明が解決しようとする課題】
【０００４】
しかしながら、上記のような表示器では、ＩＣカードに記憶された指定列車の情報を表示することはできるものの、利用者にその表示器を別個に用意してもらう必要があるため、利用者に対して利用し易いサービスを提供することができないという問題がある。
【０００５】
本発明は、このような事情に鑑みてなされたものであって、利用者の利便性を向上させることができる列車情報表示システム、列車情報表示方法、管理サーバ装置及びプログラムを提供することを目的とする。
【課題を解決するための手段】
【０００６】
上記課題を解決するために、本発明は以下の手段を提供する。
本発明は、改札の近傍に設置され、列車に関する列車情報を記憶するＩＣカードと通信を行う読み書き装置と、この読み書き装置と通信を行う管理サーバ装置とを備える列車情報表示システムであって、前記読み書き装置は、前記ＩＣカードに記憶された列車情報を読み出して、前記管理サーバ装置に送信する送信部と、前記ＩＣカードに設けられた表示部に表示された列車情報を、前記サーバ装置から送信された更新列車情報に更新して表示する表示制御部とを備え、前記管理サーバ装置は、前記送信部から送信された列車情報に基づいて、現時点での列車情報を含む更新列車情報を生成し、前記読み書き装置に送信する送信制御部を備えることを特徴とする。
【０００７】
また、本発明は、前記列車情報が、利用者によって指定された列車の発着時刻情報、区間情報、列車識別情報及び座席情報を含んでいることを特徴とする。
【０００８】
また、本発明は、前記送信制御部が、前記送信部から前記列車情報が送信されてきたときの現在時刻が、前記発着時刻情報の発車時刻又は前記発車時刻よりも所定時間前の時刻を超えている場合、前記発車時刻よりも後に発車する列車に関する列車情報を含めて、前記更新列車情報を生成することを特徴とする。
【０００９】
また、本発明は、前記送信制御部が、前記送信部から前記列車情報が送信されてきたときの現在時刻が、前記発着時刻情報の発車時刻又は前記発車時刻よりも所定時間前の時刻を超えている場合、前記現在時刻と前記区間情報とに基づいて、乗り換え情報を生成し、前記乗り換え情報を含めて前記更新列車情報を生成することを特徴とする。
【００１０】
また、本発明は、前記送信制御部が、前記下車駅にもっとも早く到着するルートによって、前記乗り換え情報を生成することを特徴とする。
【００１１】
また、本発明は、改札の近傍に設置され、列車に関する列車情報を記憶するＩＣカードと通信を行う読み書き装置と、この読み書き装置と通信を行う管理サーバ装置とを備える列車情報表示システムにおける列車情報表示方法であって、前記読み書き装置の送信部が、前記ＩＣカードに記憶された列車情報を読み出して、前記管理サーバ装置に送信し、前記管理サーバ装置の送信制御部が、前記送信部から送信された列車情報に基づいて、現時点での列車情報を含む更新列車情報を生成し、前記読み書き装置に送信し、前記読み書き装置の表示制御部が、前記ＩＣカードに設けられた表示部に表示された列車情報を、前記更新列車情報に更新して表示することを特徴とする。
【００１２】
また、本発明は、改札の近傍に設置され、列車に関する列車情報を記憶するＩＣカードと通信を行う読み書き装置と、この読み書き装置と通信を行う管理サーバ装置とを備える列車情報表示システムにおける管理サーバ装置であって、前記読み書き装置から送信された列車情報に基づいて、現時点での列車情報を含む更新列車情報を生成し、前記読み書き装置に送信することにより、前記ＩＣカードに設けられた表示部に表示された列車情報を、前記更新列車情報に更新して表示する送信制御部を備えることを特徴とする。
【００１３】
また、本発明は、改札の近傍に設置され、列車に関する列車情報を記憶するＩＣカードと通信を行う読み書き装置と、この読み書き装置と通信を行う管理サーバ装置とを備える列車情報表示システムにおける管理サーバ装置で実行されるプログラムであって、前記読み書き装置から送信された列車情報に基づいて、現時点での列車情報を含む更新列車情報を生成し、前記読み書き装置に送信することにより、前記ＩＣカードに設けられた表示部に表示された列車情報を、前記更新列車情報に更新して表示する送信制御手段として、前記管理サーバ装置を機能させる。
【発明の効果】
【００１４】
本発明によれば、ＩＣカードに設けられた表示部に列車情報が表示されるだけでなく、利用者が改札を通過するときの現時点での列車情報を含む更新列車情報が表示部に表示されることから、利用者の利便性を向上させることができる。
【発明を実施するための最良の形態】
【００１５】
（実施形態１）
以下、本発明の第１の実施形態における列車情報表示システムについて、図面を参照して説明する。
図１は、本発明の第１の実施形態としての列車情報表示システムを示したものである。
列車情報表示システム１は、列車を利用する利用者の利用者端末２と、列車のチケットの販売管理などを行うチケット管理サーバ３と、列車情報の表示管理を行う乗り換え案内サーバ（管理サーバ装置）５と、駅の改札近傍に設置されるリーダライタ（読み書き装置）６とを備えている。
これら利用者端末２とチケット管理サーバ３と乗り換え案内サーバ５とリーダライタ６とは、公衆回線網などのネットワークＮを介してそれぞれ接続されている。
【００１６】
利用者端末２は、例えば利用者宅などに設けられ、チケット管理サーバ３と接続されてチケットの購入手続などを行うものである。
この利用者端末２は、ＩＣカード１０のカード記憶部１３を読み書きする読み書き部２１を備えている。そして、利用者端末２は、キーボード操作を介して利用者からの指示を受け付け、チケット管理サーバ３の提供するホームページを介して、例えば特定列車の乗車券や指定席券などの購入処理を行う。すなわち、利用者端末２は、利用者名、利用者ＩＤ、クレジットカード情報、日付情報、及び指定する列車の識別情報などを示す利用情報をチケット管理サーバ３に送信する。さらに、利用者端末２は、チケット管理サーバ３から送信された決済情報と、利用者名と、利用者ＩＤと、列車情報とを受信して、それら情報を不図示の記憶部に記憶する。
また、利用者が、利用者端末２に設けられた読み書き面にＩＣカードをかざすと、利用者端末２は、読み書き部２１を介して、不図示の記憶部に記憶された利用者ＩＤ及び列車情報をカード記憶部１３に書き込む。
これにより、カード記憶部１３には、利用者が列車を利用する前に、指定した列車情報があらかじめ記憶される。
【００１７】
ＩＣカード１０は、図２に示すように、例えば電子ペーパなどからなる表示部１１と、太陽電池などからなる電力供給部１２と、カード記憶部１３とを備えている。
表示部１１は、電力供給部１２からの電力を受けて、図３に示すように、カード記憶部１３に記憶された列車情報を表示する。
ここで、列車情報とは、利用者が列車を利用するのに必要な、列車に関する情報をいうものである。例えば、列車情報には、列車を識別するための列車識別情報１１ａと、乗車駅及び下車駅を示す区間情報１１ｂと、指定された列車の号車及び座席を示す号車座席情報１１ｃと、列車の利用日を示す日付情報１１ｄと、乗車駅からの発車時刻及び下車駅への到着時刻を示す発着時刻情報１１ｅと、乗車駅における発車番線を示す番線情報１１ｆとを含まれている。
例えば、列車識別情報１１ａとして「はやて１３号」が表示され、区間情報１１ｂとして「東京−仙台」、号車座席情報１１ｃとして「１号車３番Ａ席」、日付情報１１ｄとして「年月日」、発着時刻情報１１ｅとして「発０９：５６  着１１：３７」、番線情報１１ｆとして「１番線発」などが表示される。
【００１８】
また、図１に示すように、チケット管理サーバ３は、利用者端末２から送信された利用情報の中から、利用者名及びクレジットカード情報などに基づいて、乗車券及び指定席券の料金の決済処理を行う。さらに、チケット管理サーバ３は、自身に内蔵の記憶部に記憶された空席情報を検索し、空席を見つけると、その空席情報を購入済みとして記憶部のデータを更新するとともに、空席情報に応じた列車情報を生成する。そして、チケット管理サーバ３は、決済処理が終了したことを示す決済情報と、利用者名と、利用者ＩＤと、列車情報とを、利用者端末２及び乗り換え案内サーバ５に送信する。
なお、決済処理に関して、クレジットカードを使用することなく、ＩＣカード１０に記憶された残高によって決済を行ってもよい。
【００１９】
乗り換え案内サーバ５は、ネットワークＮを介して、不図示の運行管理装置に接続されており、その運行管理装置からの運行情報をリアルタイムに受信し記憶する。これにより、乗り換え案内サーバ５は、各路線や各列車の運休状態や復旧見込みなどを逐次記憶・更新する。なお、運行情報とは、各列車の列車情報と、列車や路線に異常が発生しているか否かを示す異常情報と、復旧の目途が立ったか否かを示す復旧情報とを含むものである。異常情報としては、異常フラグのオン・オフが書き込まれており、復旧情報としては、復旧フラグのオン・オフが書き込まれている。
この乗り換え案内サーバ５は、機器全体を制御する制御部（送信制御部）５１と、ネットワークＮを介して各機器と通信を行う通信部（送信制御部）５２と、現在時刻を計時する計時部５３と、種々の情報を記憶するサーバ記憶部５４とを備えている。
制御部５１は、チケット管理サーバ３から送信された決済情報、利用者名、利用者ＩＤ及び列車情報や、運行管理装置から送信された運行情報を、通信部５２を介して受信し、サーバ記憶部５４に記憶する。また、制御部５１は、リーダライタ６から送信された列車情報に基づいて、後述する更新列車情報を生成し、リーダライタ６を介して、カード記憶部１３の列車情報を更新列車情報に更新するとともに、ＩＣカード１０の表示部１１に更新列車情報を表示する。
【００２０】
リーダライタ６は、図４に示すように、改札７の入口に設置されるものである。このリーダライタ６は、機器全体を制御する制御部（送信部、表示制御部）６１と、乗り換え案内サーバ５と通信を行う通信部（送信部）６２と、ＩＣカード１０と通信を行いカード記憶部１３のデータの読み書きを行う読み書き部（表示制御部）６３とを備えている。
制御部６１は、乗り換え案内サーバ５から送信された更新列車情報を、通信部６２を介して受信し、読み書き部６３を介して、カード記憶部１３の列車情報を更新列車情報に更新するとともに、表示部１１に更新列車情報を表示する。
【００２１】
次に、このように構成された本実施形態における列車情報表示システム１の動作について説明する。なお、利用者は、所望の列車について、利用者端末２を介してあらかじめ指定席を購入しており、カード記憶部１３には、利用者ＩＤ及び列車情報が記憶され、乗り換え案内サーバ５のサーバ記憶部５４には、チケット管理サーバ３から送信された決済情報と、利用者名と、利用者ＩＤと、列車情報とが記憶されているものとする。
図５及び図６は、乗り換え案内サーバ５の処理を示すフローチャートである。
利用者が、乗車のためにＩＣカード１０をリーダライタ６にかざすと、制御部６１は、読み書き部６３を介して、カード記憶部１３に記憶された利用者ＩＤ及び列車情報を読み出す。そして、制御部６１は、それら利用者ＩＤ及び列車情報を、通信部６２を介して乗り換え案内サーバ５に送信する。
【００２２】
制御部５１は、リーダライタ６から送信された利用者ＩＤ及び列車情報を、通信部５２を介して受信する（ステップＳ１０）。そして、制御部５１は、受信した列車情報に対応する列車の運行状況が正常か異常かを判定する（ステップＳ１１）。すなわち、制御部５１は、列車情報の中から列車識別情報及び区間情報などを読み出すとともに、サーバ記憶部５４にリアルタイムに記憶している運行情報の中から、列車識別情報及び区間情報に対応する列車及び路線に、異常が発生しているか否かを判定する。なお、運行情報には、異常フラグが含まれており、制御部５１は、異常フラグのオン・オフにより正常か異常かを判定する。
【００２３】
制御部５１は、正常であると判定すると（ステップＳ１１：正常）、現在時刻が発車時刻以前であるか否かを判定する（ステップＳ１２）。すなわち、制御部５１は、計時部５３から現在時刻情報を読み出すとともに、列車情報の中から発着時刻情報の発車時刻を読み出し、現在時刻が発車時刻以前であるか否かを判定する。そして、制御部５１は、現在時刻の方が前であると判定すると（ステップＳ１２：ＹＥＳ）、通信部５２を介して、許可信号をリーダライタ６に送信する（ステップＳ１３）。リーダライタ６の制御部６１は、通信部６２を介して、その許可信号を受信すると、利用者が改札の手続を完了したことを示すゲートイン情報をカード記憶部１３に書き込むとともに、ゲートＧ（図４に示す）を開ける。これにより、利用者は、改札を通ることができるようになる。
【００２４】
なお、現在時刻が発車時刻以前であるということは、利用者が発車時刻よりも前に改札に到着したことを意味するが、その一方で、利用者が発車時刻に間に合わずに遅れて改札に到着することも想定される。
すなわち、制御部５１は、ステップＳ１２において、現在時刻が発車時刻を越えていると判定すると（ステップＳ１２：ＮＯ）、現在時刻（リーダライタ６から列車情報等を受信して、計時部５３から現在時刻情報を読み出した時刻）における列車情報を示す更新列車情報を生成する（ステップＳ１４）。すなわち、制御部５１は、現在時刻情報に基づいて、区間情報の乗車駅及び下車駅を通り、かつ現在時刻を越えた直近の時刻にその乗車駅から発車する列車（振り替え列車）の列車情報を、サーバ記憶部５４に記憶された運行情報から抽出し、その列車情報を更新列車情報とする。
そして、制御部５１は、更新列車情報と許可信号とを、通信部５２を介して、リーダライタ６に送信する（ステップＳ１５）。リーダライタ６の制御部６１は、それら更新列車情報と許可信号とを、通信部６２を介して受信し、読み書き部６３を介して、カード記憶部１３に記憶された列車情報を更新列車情報に更新（上書き）し、表示部１１に更新列車情報を表示させるとともに、ゲートＧを開ける。これにより、利用者は、改札を通ることができるようになる。このとき、利用者は、表示部１１の更新列車情報を目視することにより、乗るべき列車を容易に確認することができる。
【００２５】
また、制御部５１は、ステップＳ１１において、異常と判定すると（ステップＳ１１：異常）、指定された列車が運休か否かを判定する（ステップＳ２０）。すなわち、制御部５１は、列車情報から列車識別情報を読み出し、その列車についての復旧情報を読み出す。そして、制御部５１は、復旧フラグがオンになっていると、その列車が運休であると判定し（ステップＳ２０：ＹＥＳ）、利用者に払い戻しを指示する払い戻し指示情報を生成し（ステップＳ２１）、払い戻し指示情報と許可信号とをリーダライタ６に送信する（ステップＳ２２）。リーダライタ６の制御部６１は、読み書き部６３を介して、表示部１１に払い戻し指示を表示するとともに、ゲートＧを開ける。これにより、表示部１１に、「はやて１３号は、運休となっております。窓口にて払い戻ししてください。」などと表示され、利用者がそれを目視により確認することができる。
【００２６】
一方、制御部５１は、ステップＳ２０において、復旧フラグのオフにより、列車が運休ではないと判定すると（ステップＳ２０：ＮＯ）、乗り換え情報などを含む更新列車情報を生成し（ステップＳ２３）、その更新列車情報と許可信号とをリーダライタ６に送信する（ステップＳ２４）。リーダライタ６の制御部６１は、上記と同様にして、表示部１１に更新列車情報を表示し、ゲートＧを開ける。これにより、乗り換え情報などを利用者が目視により確認することができる。
【００２７】
以上より、本実施形態における列車情報表示システム１によれば、利用者の携行するＩＣカード１０に、列車情報を表示することができるだけでなく、更新列車情報を表示することができることから、状況に応じて利用者に目視による確認を容易に行わせることができ、利用者の利便性を向上させることができる。
また、列車情報には、発着時刻情報、区間情報、列車識別情報及び座席情報が含まれていることから、利用者の利便性をさらに向上させることができる。
また、現在時刻が発車時刻を越えている場合に、直近の列車に関する更新列車情報を表示部１１に表示することから、利用者が指定列車に乗り遅れたとしても、別の列車を案内することができる。
さらに、現在時刻が発車時刻を越えている場合に、乗り換え情報を表示することから、利用者が指定列車に乗り遅れたとしても、別の列車やルートを案内することができる。
【００２８】
なお、上記実施形態においては、現在時刻が発車時刻を越えている場合に、直近の列車に関する更新列車情報を表示するとしたが、これに限ることはなく、直近でなくても、下車駅に最も早く到着する列車に関する列車情報や乗り換え情報を更新列車情報として表示するようにしてもよい。これにより、利用者が下車駅になるべく早く着けるように案内することができる。
また、現在時刻が発車時刻を越えている場合に更新列車情報を表示するものとしたが、これに限ることはなく、現在時刻が、発車時刻の所定時間前（例えば５分前）を超えている場合に、更新列車情報を表示するようにしてもよい。
また、乗り換え情報を表示する場合、１パターンだけでなく、複数パターンの乗り換え情報を表示するようにしてもよい。この場合、表示部１１にすべてのパターンの乗り換え情報を表示してもよいし、１パターンずつの乗り換え情報を表示してもよい。１パターンずつ表示する場合、利用者が電力供給部１２の所定のセルを指などで覆って、その所定のセルの光量を減少させることにより、電位変化によるスイッチング作用により、乗り換え情報の表示を複数パターンに切り替えることができる。
【００２９】
また、このような電力供給部１２のスイッチング作用を利用して、更新列車情報と、更新前の列車情報とを切り替えて表示させたり、更新列車情報の他に、例えば下車駅などの特定駅の情報（周辺の店や地図、歴史情報など）を切り替えて表示させたりすることもできる。
また、ＩＣカード１０が定期券として利用されている場合において、利用路線に遅れや運休などが発生している場合、制御部５１が、運休情報などに基づいて生成した乗り換え情報を表示することもできる（ステップＳ１４，２３など）。
また、表示部１１が電子ペーパからなるものとしたが、これに限ることはなく、有機ＥＬや例えばフィルム式などのＬＣＤなどでもよい。
また、電力供給部１２として、太陽電池が設けられるとしたが、これに限ることはなく、バッテリーなどであってもよい。さらに、電力供給部１２をそもそも設けなくてもよいが、この場合、リーダライタ６からの電力を受けて、表示部１１に短時間表示するようにしてもよい。
【００３０】
また、図５及び図６における制御部５１の機能を実現するためのプログラムをコンピュータ読み取り可能な記録媒体に記録して、この記録媒体に記録されたプログラムをコンピュータシステムに読み込ませ、実行することにより列車情報の表示を行ってもよい。なお、ここでいう「コンピュータシステム」とは、ＯＳや周辺機器等のハードウェアを含むものとする。
【００３１】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
なお、本発明の技術範囲は上記の実施形態に限定されるものではなく、本発明の趣旨を逸脱しない範囲において、種々の変更を加えることが可能である。
【図面の簡単な説明】
【００３２】
【図１】本発明に係る列車情報表示システムの実施形態を示す全体構成図である。
【図２】図１のＩＣカードを拡大して示す平面図である。
【図３】図２の表示部の表示画面の様子を示す説明図である。
【図４】リーダライタが設置された改札の様子を示す説明図である。
【図５】乗り換え案内サーバの制御部の動作を示すフローチャートである。
【図６】乗り換え案内サーバの制御部の動作を示す図であって、図５から続く動作を示すフローチャートである。
【符号の説明】
【００３３】
１    列車情報表示システム
５    乗り換え案内サーバ（管理サーバ装置）
６    リーダライタ（読み書き装置）
７    改札
１０  ＩＣカード
１１  表示部
５１  制御部（送信制御部）
５２  通信部（送信制御部）
６１  制御部（送信部、表示制御部）
６２  通信部（送信部）
【図１】
2010013007.tif 000003
【図２】
2010013007.tif 000004
【図３】
2010013007.tif 000005
【図４】
2010013007.tif 000006
【図５】
2010013007.tif 000007
【図６】
2010013007.tif 000008